(57)【要約】【課題】電源断通知信号の送出までに要する時間を短縮して、電源断通知信号の送出に必要な電力を軽減し、大容量の電解コンデンサを備えることなく、電源断通知信号を送出することができる通信装置及び通信方法が求められている。【解決手段】本発明は、電源断発生時に電源断通知信号を局側装置に送信する通信装置において、装置起動後、電源電力の供給を受けているときに、局側装置宛の電源断通知信号を生成する電源断通知信号生成手段と、電源断通知信号生成手段により生成された電源断通知信号を格納する電源断通知信号格納手段と、電源断を検出する電源断検出手段と、電源断検出手段により電源断が検出されると、電源断通知信号格納手段に格納されている電源断通知信号を送信する送信制御手段とを備えることを特徴とする。【選択図】      図１
2015192376.tif 000002
【特許請求の範囲】
【請求項１】
電源断発生時に電源断通知信号を局側装置に送信する通信装置において、
装置起動後、電源電力の供給を受けているときに、上記局側装置宛の電源断通知信号を生成する電源断通知信号生成手段と、
上記電源断通知信号生成手段により生成された上記電源断通知信号を格納する電源断通知信号格納手段と、
電源断を検出する電源断検出手段と、
上記電源断検出手段により電源断が検出されると、上記電源断通知信号格納手段に格納されている上記電源断通知信号を送信する送信制御手段と
を備えることを特徴とする通信装置。
【請求項２】
時刻情報を更新する時刻情報更新手段を備え、
上記送信制御手段が、電源断発生時に、上記時刻情報更新手段により更新された最新時刻情報を上記電源断通知信号に含めて送信するものであることを特徴とする請求項１に記載の通信装置。
【請求項３】
上記電源断通知信号格納手段が、上記電源断通知信号について、待機用の電源断通知信号と、運用用の電源断通知信号とを格納するものであり、
上記送信制御手段が、上記電源断通知信号生成手段により周期的に更新される警報発生時刻情報を上記待機用の電源断通知信号に上書きし、その後、当該待機用の電源断通知信号を運用用の電源断通知信号として切り替えるものである
ことを特徴とする請求項１又は２に記載の通信装置。
【請求項４】
電源断発生時に電源断通知信号を局側装置に送信する通信方法において、
電源断通知信号生成手段が、装置起動後、電源電力の供給を受けているときに、上記局側装置宛の電源断通知信号を生成し、
上記電源断通知信号生成手段により生成された上記電源断通知信号を電源断通知信号格納手段に格納し、
電源断検出手段が電源断を検出し、
送信制御手段が、上記電源断検出手段により電源断が検出されると、上記電源断通知信号格納手段に格納されている上記電源断通知信号を送信する
ことを特徴とする通信方法。
【発明の詳細な説明】
【技術分野】
【０００１】
本発明は、通信装置及び通信方法に関し、例えば、伝送システムを構成する局側装置に、電源断通知信号を送信する通信装置及び通信方法に適用し得るものである。
【背景技術】
【０００２】
例えば、伝送システムにおいて、リモート側の伝送装置は、電源オフ状態を通知するために、Ｒ−ＩＮＨフレームを含む電源断通知信号をセンタ側装置に通知する機能がある（特許文献１参照）。
【０００３】
ここで、Ｒ−ＩＮＨフレームとは、リモート側の伝送装置の電源オフ状態をセンタ側（局側）へ通知する手段として用いているものである。この電源断通知機能は、伝送装置の電源がオフされる直前にＲ−ＩＮＨフレームをセンタ側の伝送装置へ送出するものである。その目的は、局側（センタ側）の保守者が、リモート側で電源がオフされたことを判別できるようになっている。
【０００４】
従来、伝送装置は電源がオフされてからＲ−ＩＮＨフレームを送出できるまでのファームウェアが動作できる電力を保持する必要があるため、伝送装置内に大きな容量のコンデンサを実装していることが一般的である。
【０００５】
図２は、従来のリモート装置９０における電源断通知機能を説明する説明図である。図２に示すように、従来のリモート装置９０では、電圧監視部９２が電源断を検出すると、電圧監視部９２がＣＰＵ９３に電源断信号を通知する。電源断信号の通知後、ＣＰＵ９３はＲ−ＩＮＨフレームを生成して、通信回路９６がＲ−ＩＮＨフレームを送出する。
【先行技術文献】
【特許文献】
【０００６】
【特許文献１】特開２０１０−２５２１９２号公報
【発明の概要】
【発明が解決しようとする課題】
【０００７】
しかしながら、従来のリモート装置における電源断通知機能は、伝送装置内部で電源断を検出した後に、ＣＰＵがＲ−ＩＮＨフレームを生成して送出するため、Ｒ−ＩＮＨフレームの生成及び送出に要する時間がかかっている。そのため、ファームウェアの動作を確保するために、大容量の電力保持用のコンデンサが必要となるので、装置コストが高くなり、又は装置の構成規模も大きくなっている。
【０００８】
そのため、電源断通知信号の送出までに要する時間を短縮して、電源断通知信号の送出に必要な電力を軽減し、大容量の電解コンデンサを備えることなく、電源断通知信号を送出することができる通信装置及び通信方法が求められている。
【課題を解決するための手段】
【０００９】
かかる課題を解決するために、第１の本発明は、電源断発生時に電源断通知信号を局側装置に送信する通信装置において、（１）装置起動後、電源電力の供給を受けているときに、局側装置宛の電源断通知信号を生成する電源断通知信号生成手段と、（２）電源断通知信号生成手段により生成された電源断通知信号を格納する電源断通知信号格納手段と、（３）電源断を検出する電源断検出手段と、（４）電源断検出手段により電源断が検出されると、電源断通知信号格納手段に格納されている電源断通知信号を送信する送信制御手段とを備えることを特徴とする通信装置である。
【００１０】
第２の本発明は、電源断発生時に電源断通知信号を局側装置に送信する通信方法において、（１）電源断通知信号生成手段が、装置起動後、電源電力の供給を受けているときに、局側装置宛の電源断通知信号を生成し、（２）電源断通知信号生成手段により生成された電源断通知信号を電源断通知信号格納手段に格納し、（３）電源断検出手段が電源断を検出し、（４）送信制御手段が、電源断検出手段により電源断が検出されると、電源断通知信号格納手段に格納されている電源断通知信号を送信することを特徴とする通信方法である。
【発明の効果】
【００１１】
本発明によれば、電源断通知信号の送出に要する時間を短縮して、電源断通知信号の送出に必要な電力を軽減し、大容量の電解コンデンサを備えることなく、電源断通知信号を送出することができる。
【図面の簡単な説明】
【００１２】
【図１】実施形態に係る伝送システムの全体構成及びリモート装置の内部構成を示す構成図である。
【図２】従来の伝送システムの全体構成及びリモート装置の内部構成を示す構成図である。
【図３】実施形態に係るリモート装置の電源断通知信号の送出処理の動作を示すフローチャートである。
【発明を実施するための形態】
【００１３】
（Ａ）主たる実施形態
以下では、本発明に係る通信装置及び通信方法の実施形態を、図面を参照しながら詳細に説明する。
【００１４】
この実施形態では、伝送システムにおけるリモート側伝送装置（以下、リモート装置と呼ぶ。）が備える通信装置に本発明を適用する場合を例示する。
【００１５】
（Ａ−１）実施形態の構成
図１は、実施形態に係る伝送システム１００の全体構成及びリモート装置１の内部構成を示す構成図である。
【００１６】
実施形態に係る伝送システム１００は、リモート装置１と、センタ装置（局側装置）２とを有する。なお、図１では、リモート装置１が１台の場合を例示しているが、センタ装置２が複数台のリモート装置１と情報の授受を行うものとしても良い。
【００１７】
センタ装置２は、リモート装置１との間で情報の授受を行うものである。センタ装置２は、伝送システム１００を構成するリモート装置を管理しており、例えば、ＳＮＭＰ（Simple  Network  Management  Protocol）等のネットワーク管理プロトコルにより、リモート装置１からの状況通知信号に基づいてリモート装置１の状況を管理するものである。そのため、センタ装置２は、例えばＳＮＭＰマネージャ等のネットワーク管理機能を有している。
【００１８】
リモート装置１は、通信回線を通じてセンタ装置２との間で情報を授受するものである。リモート装置１は、自身の状況をセンタ装置２側に通知する状況通知機能を有している。なお、この実施形態では、リモート装置１とセンタ装置２との間のネットワーク管理プロトコルとしてＳＮＭＰを適用する場合を例示する。そのため、リモート装置１は、ＳＮＭＰエージェントとして機能的に有しており、センタ装置１に対して能動的に自身の状況を通知する。
【００１９】
図１において、リモート装置１は、電力保持用電解コンデンサ１１、電圧監視部１２、ＣＰＵ１３、ＲＡＭ１４、ＲＯＭ１５、通信回路１５を有する。
【００２０】
電力保持用電解コンデンサ１１は、リモート装置１の主電源が電源断となった際に、リモート装置１内に搭載される回路に電力を供給する電力供給部である。この実施形態では、電力保持用電解コンデンサ１１が、電源断検出後に、センタ装置２宛に、電源断通知信号を送出するまでの電力を保持するコンデンサ（電解コンデンサ）を例示する。なお、電力保持用電解コンデンサ１１は、電力を保持し、電源断検出後に各種回路に電力を供給することができるものであれば、電解コンデンサに代えて二次電池等の電池を用いるようにしても良い。ここで、「電源断通知信号」は、Ｒ−ＩＮＨフレームを含む信号である。
【００２１】
電圧監視部１２は、リモート装置１に供給される電力を監視するものである。電圧監視部１２は、供給される電源電力の値が閾値より低下したときに、電源断信号３１を、後述する通信回路１６に与えるものである。電圧監視部１２は、リモート装置１に供給される電力値を監視している。リモート装置１の主電源が何らかの原因により電力供給遮断になった後、電力保持用電解コンデンサ１１が補助的にリモート装置１の各構成要素に電力を供給する。従って、電圧監視部１２は、供給電力値（すなわち、電力保持用電解コンデンサ１１が放出する電力値）が閾値より低下したか否かを監視する。
【００２２】
ここで、従来の方式では、電源断検出後にＲ−ＩＮＨフレームの作成を実施するために、電圧監視部が電源断信号３１をＣＰＵに通知している。しかし、この実施形態では、後述するように、電源断検出前に、ファームウェアが事前にＲ−ＩＮＨフレームを生成して内部メモリ（Ｒ−ＩＮＨフレームメモリ１６２）にＲ−ＩＮＨフレームを格納している。そのため、電源断検出時におけるＲ−ＩＮＨフレームの読み出しを開始させるために、電圧監視部１２は電源断信号３１を通信回路１６に通知している。
【００２３】
ＣＰＵ１３は、リモート装置１の機能を司るものである。ＣＰＵ１３は、ＲＯＭ１５に格納される処理プログラムを読み出し、ＲＡＭ１４に格納される処理に必要なデータを用いて処理プログラムを実行することでリモート装置１の機能を実現する。
【００２４】
ファームウェアとして機能するＣＰＵ１３は、電源電力が供給されているときに（電源断信号３１の検出前に）、ファームウェアにてＲ−ＩＮＨフレームを事前に生成し、その生成したＲ−ＩＮＨフレームを通信回路１６の内部メモリ（Ｒ−ＩＮＨフレームメモリ１６２）に格納するものである。
【００２５】
ファームウェアは、リモート装置１の起動時にＲ−ＩＮＨフレーム（少なくとも宛先情報が書き込まれたもの）を作成するようにしても良いし、又は起動後、所定時間経過後にＲ−ＩＮＨフレームを作成するようにしても良い。また、ファームウェアは、電源断発生時を特定するために、例えば１秒毎に、警報発生時刻情報（年/月/日  時：分：秒）を更新して、Ｒ−ＩＮＨフレームに反映させるようにしている。
【００２６】
通信回路１６は、ＣＰＵ１３の制御の下、通信信号のフレーム送出を制御するものである。通信回路１６は、例えば、ＡＳＩＣ（Application  Specific  Integrated  Circuit）、ＦＰＧＡ（Field-programmable  gate  array）等の回路装置を適用することができる。通信回路１６は、リモート装置１が送信すべき主信号フレームの送出制御を行なうと共に、電源断検出時に、内部メモリ（Ｒ−ＩＮＨフレームメモリ１６２）に格納されているＲ−ＩＮＨフレームの送出制御を行なうものである。
【００２７】
図１に示すように、通信回路１６は、ＴＩＭＥ＿ＴＩＣＫ更新部１６１、Ｒ−ＩＮＨフレームメモリ１６２、フレームメモリリード制御部１６３、競合制御回路部１６４、セレクタ１６５、信号切替部１６６、レジスタ１６７を有する。
【００２８】
ＴＩＭＥ＿ＴＩＣＫ更新部１６１は、ハードウェアである通信回路１６を自律的に動作させるための内部カウンタである。ここで、ＴＩＭＥ＿ＴＩＣＫとは装置内部に設けられているタイムスタンプである。ＴＩＭＥ＿ＴＩＣＫ更新部１６１は、ファームウェアから１秒毎にＴＩＭＥ＿ＴＩＣＫレジスタ２３を更新する。また、ＴＩＭＥ＿ＴＩＣＫ更新部１６１は、更新されたＴＩＭＥ＿ＴＩＣＫレジスタ２３をロードして、１０ｍｓ周期でカウンタを動作させてタイムスタンプを更新する。
【００２９】
Ｒ−ＩＮＨフレームメモリ１６２は、ファームウェアで生成されたＲ−ＩＮＨフレームを格納するものである。Ｒ−ＩＮＨフレームは、格納されているＲ−ＩＮＨフレームを読み出して即座に送信できるようにするため、ＳＮＭＰのトラップフレーム形式の構成とする。
【００３０】
Ｒ−ＩＮＨフレームメモリ１６２は、それぞれ２個の宛先としたＲ−ＩＮＨフレームを運用面と待機面とを区別した、合計４個のＲ−ＩＮＨフレームを格納している。例えば図１では、Ｒ−ＩＮＨフレーム「ＤＡ１＿１」及びＲ−ＩＮＨフレーム「ＤＡ１＿２」について、宛先「ＤＡ１」を示しており、「＿」後の数字「１」が運用面、「＿」後の数字「２」が待機面を示している。
【００３１】
ここで、Ｒ−ＩＮＨフレームメモリ１６２が運用面と待機面の２種類のＲ−ＩＮＨフレームを格納する理由は、次の通りである。上述したように、ファームウェアは、１秒毎に警報発生時刻情報（年/月/日  時：分：秒）を更新している。そのため、時刻情報を更新しているときに電源断信号３１が受信されると、更新が完了していない情報でＲ−ＩＮＨフレームの送出を防止することになるために、運用面と待機面の２種類のＲ−ＩＮＨフレームを格納するようにしている。
【００３２】
Ｒ−ＩＮＨフレームメモリ１６２では、ファームウェアで１秒毎に警報発生時刻情報（年/月/日  時：分：秒）を待機面に更新して、その後、待機面を運用面として切り替えるようにしている。
【００３３】
フレームメモリリード制御部１６３は、電源断信号３１を取得すると、Ｒ−ＩＮＨフレームの送信開始フラグをセットして、Ｒ−ＩＮＨフレームの読み出しを行い、セレクタ１６５を制御するものである。
【００３４】
競合制御回路部１６４は、Ｒ−ＩＮＨフレームを送信する際に、主信号フレームが送信中の場合に、主信号フレームとＲ−ＩＮＨフレームとの競合回避を制御するものである。競合制御回路部１６４は、Ｒ−ＩＮＨフレーム送信イネーブルレジスタ２１からイネーブル信号を取得すると、主信号フレームが送信中の場合に、内部のカウンタで主信号フレームの送出バイト数をカウントする。そして、所定の送出バイト数のカウント後、競合制御回路部１６４は、信号切替部８に主信号フレームの送信を停止させるようにする。
【００３５】
セレクタ１６５は、フレームメモリリード制御部１６３の制御の下、Ｒ−ＩＮＨフレームメモリ１６２から読み出されたＲ−ＩＮＨフレームに、ＴＩＭＥ＿ＴＩＣＫ更新部１６１からのＴＩＭＥ＿ＴＩＣＫ情報を上書きして、Ｒ−ＩＮＨフレームを信号切替部１６６に与えるものである。
【００３６】
信号切替部１６６は、取得した主信号フレーム又はセレクタ１６５からのＲ−ＩＮＨフレームを後段に送出するものである。Ｒ−ＩＮＨフレームを送信する際、主信号フレームが送信中である場合、信号切替部１６６は、競合制御回路部１６４の制御を受けて、主信号フレームの送信停止をして、Ｒ−ＩＮＨフレームを送出する。
【００３７】
レジスタ１６７は、ファームウェアで生成されたＲ−ＩＮＨフレームに関する設定情報（ビット情報）を格納するものである。レジスタ１７６は、Ｒ−ＩＮＨ送信イネーブルレジスタ２１、Ｒ−ＩＮＨ送信フレーム長レジスタ２２、ＴＩＭＥ＿ＴＩＣＫレジスタ２３、ＴＩＭＥ＿ＴＩＣＫオフセットレジスタ２４、運用面設定レジスタ２５、Ｒ−ＩＮＨ状態読み出しレジスタ２６を有する。
【００３８】
Ｒ−ＩＮＨ送信イネーブルレジスタ２１は、Ｒ−ＩＮＨ送信イネーブル信号を格納しており、電源断信号３１を受信すると、共同制御回路部１６４にＲ−ＩＮＨ送信イネーブル信号（図１では、イネーブル信号３２と表現している。）を通知する。
【００３９】
Ｒ−ＩＮＨ送信フレーム長レジスタ２２は、Ｒ−ＩＮＨフレームメモリ１６２に格納されている各Ｒ−ＩＮＨフレームのフレーム長情報を格納するものである。
【００４０】
ＴＩＭＥ＿ＴＩＣＫレジスタ２３は、ＴＩＭＥ＿ＴＩＣＫ更新部１６１により更新されたＴＩＭＥ＿ＴＩＣＫを格納するものである。
【００４１】
ＴＩＭＥ＿ＴＩＣＫオフセットレジスタ２４は、ＴＩＭＥ＿ＴＩＣＫのオフセット情報を格納するものである。
【００４２】
運用面設定レジスタ２５は、Ｒ−ＩＮＨフレームメモリ１６２に格納される各宛先のＲ−ＩＮＨフレームのうち、運用面がいずれであるかを格納するものである。
【００４３】
Ｒ−ＩＮＨ状態読み出しレジスタ２６は、Ｒ−ＩＮＨフレームの状態情報を格納するものである。
【００４４】
（Ａ−２）実施形態の動作
次に、この実施形態に係るリモート装置１における電源断通知信号（Ｒ−ＩＮＨフレーム）の送出処理の動作を、図面を参照しながら詳細に説明する。
【００４５】
図３は、実施形態に係るリモート装置１の電源断通知信号の送出処理の動作を示すフローチャートである。
【００４６】
まず、リモート装置１において電源が供給されている際、電力保持用電解コンデンサ１１はコンデンサ電力を保持する。また、ファームウェアからのＲ−ＩＮＨフレームの基本フレームが、Ｒ−ＩＮＨフレームメモリ１６２に記憶される。このとき、センタ装置２の宛先情報（例えば、ＭＡＣアドレス等）が書き込まれたＳＮＭＰトラップ形式で基本的なフレーム構成が書き込まれる。
【００４７】
リモート装置１において電源断が発生すると（Ｓ１０１）、電力保持用電解コンデンサ１１が保持していた電力が放出される（Ｓ１０２）。なお、電力保持用電解コンデンサが電力の放出をし続けると、電力保持用電解コンデンサの容量が低下していき、除去に電圧が低下する。
【００４８】
電圧監視部１２は常にリモート装置１内の供給電力値を監視しており、電源電力値が閾値を下回ると（Ｓ１０３）、電圧監視部１２は通信回路１６に電源断信号３１を通知する（Ｓ１０４）。
【００４９】
通信回路１６が電源断信号３１を取得すると、レジスタ１６７のＲ−ＩＮＨ送信イネーブルレジスタ２１がイネーブル信号３２を競合制御回路部１６４に通知する（Ｓ１０５）。
【００５０】
競合制御回路部１６４がイネーブル信号３２を受信すると、競合制御回路部１６４が主信号フレームの送信状況を確認する（Ｓ１０６）。主信号フレームが送信中であるときＳ１０７に移行し、主信号フレームが送信されていないときＳ１１０に移行する。
【００５１】
主信号フレームが送信中の場合、競合制御回路部１６４は、以下の２点の動作を確認する。
【００５２】
まず、送信中の主信号フレームが６４ｂｙｔｅ以上送出済みであれば、主信号フレームの送出を停止する（Ｓ１０８）。
【００５３】
また、送信中の主信号フレームが６４ｂｙｔｅ未満のとき、競合制御回路部１６４は、送信中の主信号フレームが送信完了するまで待機する（Ｓ１０９）。
【００５４】
競合制御回路部１６４は、フレームメモリリード制御部１６３にイネーブル信号３３を通知する（Ｓ１１０）。
【００５５】
フレームメモリリード制御部１６３がイネーブル信号を受信すると、レジスタ１６７の運用面設定レジスタ２５を確認して、送信するＲ−ＩＮＨフレームの運用面を確認する（Ｓ１１１）。
【００５６】
フレームメモリリード制御部１６３は、Ｒ−ＩＮＨ送信フレーム長レジスタ２２からＲ−ＩＮＨフレームの送信フレーム長レジスタ値を確認し、Ｒ−ＩＮＨフレームメモリ１６２に格納されているＲ−ＩＮＨフレームを送信フレーム長レジスタ値まで読み出する（Ｓ１１２）。
【００５７】
Ｒ−ＩＮＨフレームを読み出した後、フレームメモリリード制御部１６３はセレクタ１６５を制御して、Ｒ−ＩＮＨフレームメモリ１６２から送出されたＲ−ＩＮＨフレームに、ＴＩＭＥ＿ＴＩＣＫ更新部１６１のＴＩＭＥ＿ＴＩＣＫ情報をセレクタ１６５で上書きさせる（Ｓ１１３）。
【００５８】
セレクタ１６５から出力されるＲ−ＩＮＨフレームは、信号切替部１６６に与えられ、信号切替部１６６は、競合制御回路部１６４の制御を受けて、センタ装置（局側装置）２にＲ−ＩＮＨフレームを送出する（Ｓ１１４）。これにより、センタ装置（局側装置）２にＲ−ＩＮＨフレームを送出することができる。
【００５９】
（Ａ−３）実施形態の効果
以上のように、この実施形態によれば、伝送装置であるリモート装置が、電源断信号を受信する前にＲ−ＩＮＨフレームを生成し、電源断信号を受信後すぐにＲ−ＩＮＨフレームを送出することができるので、Ｒ−ＩＮＨフレームの送出に要する時間を短縮できる。その結果、容量の小さいコンデンサを実装することができ、装置コストの軽減及び装置の回路規模の縮小を図ることができる。
【００６０】
この実施形態によれば、例えば、コンデンサの容量は従来比で３０％程度削減できる。また例えば、コンデンサの容量削減により、部品のコストを６０％程度、実装面積を６０−７０％程度削減できる。
【００６１】
（Ｂ）他の実施形態
上述した実施形態においても種々の変形実施形態を言及したが、本発明は以下の変形実施形態を適用することができる。
【００６２】
（Ｂ−１）上述した実施形態では、伝送装置であるリモート装置がＲ−ＩＮＨフレームの例を示したが、電源断検出時にＲ−ＩＮＨフレームを通知する装置、システムに広く適用することができる。
【００６３】
（Ｂ−２）上述した実施形態では、ネットワーク管理プロトコルがＳＮＭＰを適用する場合を例示したが、ＳＮＭＰに限定されるものではない。例えば、リモート装置が定期的に又は何らかのコマンドが通知されたときに、リモート装置がセンタ装置に自身の状況を通知するものであれば、広く適用することができる。
【００６４】
（Ｂ−３）上述した実施形態では、Ｒ−ＩＮＨフレームメモリが、２個の宛先を事前に書き込んだＲ−ＩＮＨフレーム（基本フレーム）を格納する場合を例示したが、センタ装置の宛先情報は１個であっても良いし、３個以上であってもよい。
【符号の説明】
【００６５】
１００…伝送システム、１…リモート装置、１１…電力保持用電解コンデンサ、１２…電圧監視部、１３…ＣＰＵ、１４…ＲＡＭ、１５…ＲＯＭ、１６…通信回路、１６１…ＴＩＭＥ＿ＴＩＣＫ更新部、１６２…Ｒ−ＩＮＨフレームメモリ、１６３…フレームメモリリード制御部、１６４…競合制御回路部、１６５…セレクタ、１６６…信号切替部、１６７…レジスタ。
【図１】
2015192376.tif 000003
【図２】
2015192376.tif 000004
【図３】
2015192376.tif 000005